(57)【要約】【課題】直管形ランプの脱落を防止し、且つ、水平方向の移動の距離が少ないソケットを提供する。【解決手段】筐体と、筐体の内部に収容され、直管形ランプの口金ピンと接続される端子と、を備え、前記筐体は、正面に口金ピンを端子に誘導する第１の案内溝を有し、第１の案内溝は、筐体の外周面の下端に設けられた第１の挿入孔と、第１の挿入孔から上方に延びる第１の貫通溝と、第１の貫通溝から連続し、第１の屈曲部を経て水平方向に延びる第２の貫通溝と、第２の貫通溝から連続し、第２の屈曲部を経て下方に延び、前記口金ピンが落込む第１の落込み部と、から構成される。【選択図】図３
2017076589.tif 000002
【特許請求の範囲】
【請求項１】
筐体と、
前記筐体の内部に収容され、直管形ランプの口金ピンと接続される端子と、を備え、
前記筐体は、正面に前記口金ピンを前記端子に誘導する第１の案内溝を有し、
前記第１の案内溝は、
前記筐体の外周面の下端に設けられた第１の挿入孔と、
前記第１の挿入孔から上方に延びる第１の貫通溝と、
前記第１の貫通溝から連続し、第１の屈曲部を経て水平方向に延びる第２の貫通溝と、
前記第２の貫通溝から連続し、第２の屈曲部を経て下方に延び、前記口金ピンが落込む第１の落込み部と、
から構成される、
ソケット。
【請求項２】
前記端子及び前記第１の案内溝は、それぞれ一対設けられている、
請求項１に記載のソケット。
【請求項３】
一対の前記端子を備えるとともに、
第２の案内溝を更に備え、
前記第２の案内溝は、
前記筐体の外周面のいずれかの側面に設けられた第２の挿入孔と、
前記第２の挿入孔から水平方向に延びる第３の貫通溝と、
前記第３の貫通溝から連続し、第３の屈曲部を経て下方に延び、前記口金ピンが落込む第２の落込み部と、
から構成されている、
請求項１に記載のソケット。
【請求項４】
前記第１の屈曲部、前記第２の屈曲部、前記第３の屈曲部は、
同じ高さに位置している、
請求項３に記載のソケット。
【請求項５】
前記第１の落込み部及び第２の落込み部の下端は、
前記端子の端部と一致する位置に配置されている、
請求項１〜４のいずれか一項に記載のソケット。
【請求項６】
請求項１〜５のいずれか一項に記載のソケットと、
前記ソケットが配設され、前記直管形ランプが装着される器具本体と、
前記直管形ランプに電源を供給する電源装置と、を備える、
照明器具。
【発明の詳細な説明】
【技術分野】
【０００１】
本発明は、直管形ＬＥＤランプを保持し、電源に接続させるソケット及びそのソケットを備えた照明器具の構造に関するものである。
【背景技術】
【０００２】
天井照明等に用いられる直管形ランプのソケットとして、ランプピン挿入孔が下端面に設けられたものが知られている。このようなソケットに直管形ランプを装着する際には、直管形ランプの２本のランプピンをランプピン挿入孔から挿入し、直管形ランプを略９０°回動することで直管形ランプがソケットに保持され、電気的に接続される。
【０００３】
直管形ランプとして、ＬＥＤを光源とした直管形ＬＥＤランプが近年注目されている。ＬＥＤは、Ｌｉｇｈｔ  Ｅｍｉｔｔｉｎｇ  Ｄｉｏｄｅの頭文字である。直管形ＬＥＤランプは放熱のために金属を発光面の裏側に備えており、ランプの断面の金属面側が重い。ランプが正常な回転位置に取り付けられていないと、ランプに偏心が生じることから、振動などの外的要因によって自然に回転してソケットからの脱落や、ランプの不点灯、落下などが起こりやすい。
【０００４】
例えば、特許文献１には、直管形ＬＥＤランプのソケットとして、側面にランプピンを誘導する案内溝の開放端を備えたソケットが開示されている。これにより、給電端子の係合から外れた口金ピンが、ランプピンの案内溝から外に抜け出すことを防止することが提案されている。
【先行技術文献】
【特許文献】
【０００５】
【特許文献１】特開平７−１１１１７４号公報
【発明の概要】
【発明が解決しようとする課題】
【０００６】
特許文献１では、ランプをソケットに装着する際には、ランプをソケットの側面に配置し、２本のランプピンをソケットの側面から挿入することになる。この構成では、ランプの脱落を防げても、ランプの装着を可能にするため、ソケットの側面にランプ１本分のスペースを確保する必要が生じる。このスペースは、ランプの装着後には不要なスペースとなってしまい、省スペース化に適した構造ではない。
【０００７】
本発明は、上記のような問題点を解決するためになされたものであり、ランプの脱落を防ぎ、且つ、省スペース化を実現できるソケット及び照明器具を提供することを目的とする。
【課題を解決するための手段】
【０００８】
本発明に係るソケットは、筐体と、前記筐体の内部に収容され、直管形ランプの口金ピンと接続される端子と、を備え、前記筐体は、正面に前記口金ピンを前記端子に誘導する第１の案内溝を有し、前記第１の案内溝は、前記筐体の外周面の下端に設けられた第１の挿入孔と、前記第１の挿入孔から上方に延びる第１の貫通溝と、前記第１の貫通溝から連続し、第１の屈曲部を経て水平方向に延びる第２の貫通溝と、前記第２の貫通溝から連続し、第２の屈曲部を経て下方に延び、前記口金ピンが落込む第１の落込み部と、から構成されるものである。
【発明の効果】
【０００９】
本発明のソケットによれば、側面の下端の挿入孔から延びる案内溝が正面に設けられている。そのため、挿入孔から挿入された口金ピンが平行移動しながら落込み部まで誘導されて内部の端子に接続され、口金ピンの水平方向の移動距離は、挿入孔と落込み部との間の距離に制限される。そのため、ランプに偏心が生じてソケットから脱落することを防止し、且つ、装着時の水平方向の移動距離が抑制されて省スペース化を実現できる。
【図面の簡単な説明】
【００１０】
【図１】本発明の実施の形態における照明器具に直管形ランプを装着した状態の斜視図である。
【図２】本実施の形態における直管形ランプの一例の図である。
【図３】図２の直管形ランプのソケットの正面図である。
【図４】図２の直管形ランプのソケットの斜視図である。
【図５】図２の直管形ランプの口金ピンが接続する端子の一例の斜視図である。
【図６】図５の端子が配置されたソケットの透過左側面図である。
【図７】図５の端子が配置されたソケットの透過正面図である。
【図８】図２の直管形ランプのソケットの正面図である。
【図９】図２の直管形ランプのソケットの斜視図である。
【図１０】図２の直管形ランプのソケットへの装着前及び装着後の模式断面図である。
【発明を実施するための形態】
【００１１】
以下に、本発明のソケット及び照明器具の実施の形態を図面に基づいて詳細に説明する。図１は、本発明の実施の形態における照明器具１０に直管形ランプ２０を装着した状態の斜視図である。図１に示すように、照明器具１０は、器具本体１１と、反射板１２とを備える。照明器具１０には、器具本体１１の長手方向の両端に設けられた一対のソケット３０、４０が配置されている。ソケット３０、４０には、直管形ランプ２０が脱着可能に装着される。直管形ランプ２０は、光源にＬＥＤを用いた直管形ＬＥＤランプである。反射板１２は直管形ランプ２０から発せられる光を配光する機能を有する。照明器具１０は、更に、器具本体１１に取り付けられ、直管形ランプ２０を点灯させるための電源を供給する図示しない電源装置を備える。
【００１２】
図２は、本実施の形態における直管形ランプ２０の一例である。図２に示すように、直管形ランプ２０は、外郭２３と、その両端にそれぞれ設けられた一対の口金２１、２２を備える。外郭２３の内部には、光源となる図示しないＬＥＤモジュールと、図示しないヒートシンクとが設けられている。ヒートシンクは、例えば長尺直線状のアルミニウムであり、ＬＥＤモジュールで生じた熱を放熱するために設けられるものである。一方の口金２１には、ソケット３０にはめ込まれる一対の口金ピン２４、２５が設けられており、もう一方の口金２２には、ソケット４０にはめ込まれる口金ピン２６が設けられている。ソケット３０にはめ込まれる一対の口金ピン２４、２５は、例えば給電ピンであり、ソケット４０にはめ込まれる口金ピン２６は、例えば接地ピンである。ソケット３０に口金２１が装着され、ソケット４０に口金２２が装着されて直管形ランプ２０が取付られる。なお、本実施の形態では、ＪＩＳ  Ｃ７７０９に規定されたＧＸ１６−ｔ口金付直管ＬＥＤランプを装着するソケットを例にとり説明するが、ソケットに装着される直管形ランプの仕様はこれに限定されない。例えば、Ｇ１３口金を有する直管形ランプに適応させたソケットを設けることもできる。
【００１３】
図３は、図２の直管形ランプ２０のソケット３０の正面図であり、図４は、図２の直管形ランプ２０のソケット３０の斜視図である。図３および図４に示すように、一方の口金２１が装着されるソケット３０は、案内溝３１、３２を備えた正面３０ａと、背面３０ｂと、それらを繋ぐ外周面３０ｃと、から成る箱型の筐体であり、内部に電源を供給する一対の端子を収容している。案内溝３１は、外周面３０ｃの下端に設けられた挿入孔３１ａと、挿入孔３１ａから上方に垂直方向に延びる貫通溝３１ｂ、３１ｆと、貫通溝３１ｆに連続する落込み部３１ｃと、から構成されている。また、案内溝３２は、外周面３０ｃの側部に設けられた挿入孔３２ａと、挿入孔３２ａから水平方向に延びる貫通溝３２ｂと、貫通溝３２ｂに連続する落込み部３２ｃと、から構成されている。案内溝３１、３２は、第１、第２の案内溝の一例であり、挿入孔３１ａ、３２ａは、第１、第２の挿入孔の一例であり、貫通溝３１ｂ、３１ｆ、３２ｂは、第１、第２、第３の貫通溝の一例である。また、屈曲部３１ｄ、３１ｅ、３２ｄは、第１、第２、第３の屈曲部の一例であり、落込み部３１ｃ、３２ｃは、第１及び第２の落込み部の一例である。なお、以下の説明において、挿入孔３２ａが形成されている外周面３０ｃを左側面とする。
【００１４】
貫通溝３１ｂは、挿入孔３１ａから垂直方向に上方に延びており、貫通溝３１ｆは、屈曲部３１ｄから屈曲部３１ｅまで水平方向に延びた後、屈曲部３１ｅを経て下方に延びている。一方、案内溝３２を構成する貫通溝３２ｂは、挿入孔３２ａから水平方向に延びた後、屈曲部３２ｄを経て垂直方向に下方に延びている。案内溝３１、３２の屈曲部３１ｄ、３１ｅ、３２ｄは全て同じ高さに配置されている。また、案内溝３１、３２の終端となる落込み部３１ｃ、３２ｃは、ソケット３０の内部に収容される端子１３、１４が配置される位置と一致している。案内溝３１、３２に誘導される口金２１の口金ピン２４、２５は、挿入孔３１ａ、３２ａから貫通溝３１ｂ、３２ｂを経て落込み部３１ｃ、３２ｃに到達する。
【００１５】
図５は、図２の直管形ランプ２０の口金ピン２４、２５が接続する端子１３、１４の一例の斜視図である。図５に示すように、それぞれの端子１３、１４は、電源装置に接続さる上端から下方に延びる領域１３ａ、１４ａと、下端で上方に折り返され、立ち上がりが形成された領域１３ｂ、１４ｂとから構成される。また、領域１３ｂ、１４ｂの先端は、波状などの形状に形成されており、互いに反発する方向に弾性を有する。
【００１６】
図６は、図５の端子１３、１４が配置されたソケット３０の透過左側面図であり、図７は、図５の端子１３、１４が配置されたソケット３０の透過正面図である。図６、及び、図７に示すように、ソケット３０の内部の空間には、一対の端子１３、１４が正面視で間隔をおいて左右対称に収容されている。端子１３、１４は、領域１３ａ、１４ａがソケット３０の背面３０ｂに沿うとともに、領域１３ｂ、１４ｂを落込み部３１ｃ、３２ｃに一致させて配置されている。領域１３ａ、１４ａは、落込み部３１ｃ、３２ｃの下端において領域１３ｂ、１４ｂに連続して折り返されて上方に延び、背面３０ｂから正面３０ａに近接する方向に迫り出している。ソケット３０に装着される一方の口金２１は、口金ピン２４、２５が挿入孔３１ａ、３２ａから挿入され、案内溝３１、３２に沿って移動し、落込み部３１ｃ、３２ｃに到達することで端子１３、１４に接続される。
【００１７】
図８は、図２の直管形ランプ２０のソケット４０の正面図であり、図９は、図２の直管形ランプ２０のソケット４０の斜視図である。直管形ランプ２０の他方の口金２２は、ソケット４０に装着される。図８、及び、図９に示すように、ソケット４０は、ソケット３０と同様、案内溝４１を備えた正面４０ａと、背面４０ｂと、外周面４０ｃと、から成る箱型の筐体であり、図示しない端子を収容している。案内溝４１は、外周面４０ｃの下端に設けられた挿入孔４１ａと、挿入孔４１ａから上方に垂直方向に延びる貫通溝４１ｂと、貫通溝４１ｂに連続する落込み部４１ｃと、から構成されている。貫通溝４１ｂは、挿入孔４１ａから垂直方向に上方に延びた後、２つの屈曲部４１ｄ、４１ｅを経て下方に延びて落込み部４１ｃに到達する。ソケット４０に装着される他方の口金２２は、口金ピン２６が挿入孔４１ａから挿入され、案内溝４１に沿って移動し、落込み部４１ｃに到達することで端子に接続される。
【００１８】
次に、直管形ランプ２０をソケット３０、４０に装着する手順について説明する。図１０は、図２の直管形ランプ２０のソケット３０への装着前及び装着後の模式断面図である。図１０においては、直管形ランプ２０の装着前の配置位置を実線で示し、装着後の配置位置を破線で示している。図１０に示すように、直管形ランプ２０の装着においては、直管形ランプ２０の一方の口金２１に設けられた口金ピン２４、２５を互いに平行し、ソケット３０の下方に配置する。これと同時に、直管形ランプ２０の他方の口金２２をソケット４０の下方に配置する。そして、直管形ランプ２０を上昇させ、口金ピン２４、２５がソケット３０の案内溝３１、３２に沿って移動し、口金ピン２６がソケット４０の案内溝４１に沿って移動するように直管形ランプ２０を動かす。
【００１９】
そうすると、ソケット３０においては、口金ピン２４が挿入孔３１ａに挿入されて貫通溝３１ｂに進入し、その次に、口金ピン２５が挿入孔３２ａから挿入されて貫通溝３２ｂに進入する。貫通溝３１ｂ、３２ｂに進入した口金ピン２４、２５は、案内溝３１、３２に沿って移動し、終端の落込み部３１ｃ、３２ｃに到達する。口金ピン２４、２５が到達した落込み部３１ｃ、３２ｃで落込むことで、ソケット３０内部の端子１３、１４に接続される。
【００２０】
一方、ソケット４０においては、口金ピン２６が挿入孔４１ａに挿入されて貫通溝４１ｂに進入する。貫通溝４１ｂに進入した口金ピン２６は、案内溝４１に沿って移動し、終端の落込み部４１ｃに到達する。口金ピン２６が到達した落込み部４１ｃで落込むことで、ソケット４０内部の端子に接続される。
【００２１】
案内溝３１、３２、４１を移動する直管形ランプ２０は、径が向く方向が保たれたまま、垂直方向又は水平方向に平行移動するため、装着前の向きを保ったまま装着された状態となる。これにより、直管形ランプ２０の重心が偏ってしまう偏心を防止できる。また、直管形ランプ２０が水平移動する距離は、挿入孔３１ａから延びる上方に延びる案内溝３１と落込み部３１ｃと間の水平方向の距離であり、直管形ランプ２０の直径よりも小さい。この距離の空間が直管形ランプ２０の横に確保されていれば、ソケット３０の下方に配置された直管形ランプ２０をソケット３０に装着することができる。
【００２２】
直管形ランプ２０をソケット３０から取り外すときは、直管形ランプ２０を持ち上げる方向に力を与え、口金ピン２４、２５、２６を落込み部３１ｃ、３２ｃ、４１ｃに落込んだ状態から上昇させる。その後、案内溝３１、３２、４１に沿って移動させれば、口金ピン２４、２５、２６が挿入孔３１ａ、３２ａ、４１ａから順次抜け出し、直管形ランプ２０がソケット３０、４０から取り外される。このように、直管形ランプ２０は、口金ピン２４、２５、２６に重力と対向する方向の力を加えなければ落込み部３１ｃ、３２ｃ、４１ｃから取外すことができない。そのため、意図せず直管形ランプ２０がソケット３０、４０から外れてしまうことを防止することもできる。
【００２３】
なお、上記の説明において、端子１３、１４は、領域１３ａ、１４ａが背面３０ｂに沿って配置されているため、口金ピン２４、２５が領域１３ａ、１４ａを横切って移動することを可能にしている。また、領域１３ｂ、１４ｂは、波形に形成し弾性を持たせているため、端子１３、１４と口金ピン２４、２５との接続を確実にしている。ただし、上記で説明した端子１３、１４の形状は一例であり限定されず、口金ピン２４、２５の移動経路を阻むことがなく、口金ピン２４、２５との接触を確実にできる形状であればよい。
【００２４】
また、図３においては、案内溝３１がソケット３０の最下端に設けられた挿入孔３１ａから垂直に上昇し、案内溝３２がソケット３０の側面に設けられた挿入孔３２ａから水平に延びて図示されている。しかし、案内溝３１、３２を構成する挿入孔３１ａ、３２ａの位置は、一方がソケット３０の下端近傍、他方がソケット３０の側面近傍であればよい。また、案内溝３１、３２は、下端近傍の挿入孔３１ａ又は３２ａから垂直方向に延びる領域１３ａ、１４ａと、口金ピン２４、２５が落込む落込み部３１ｃ、３２ｃとが貫通溝３１ｂ、３２ｂにより接続されていればよい。案内溝３１、３２の経路や、経路の形状は特に限定されない。ただし、案内溝３１、３２の屈曲部３１ｄ、３１ｅ、３２ｄは、口金ピン２４、２５が意図せず貫通溝３１ｂ、３２ｂを移動しても、屈曲部３１ｄ、３１ｅ、３２ｄにより移動を阻止することができるよう、例えば９０度などの角度であることが望ましい。
【００２５】
以上説明した本発明に係るソケット３０は、外周面３０ｃの下端の挿入孔３１ａと、正面３０ａの落込み部３１ｃと、挿入孔３１ａ及び落込み部３１ｃを繋ぐ貫通溝３１ｂ、３１ｆとにより案内溝３１が形成されている。案内溝３１に沿って移動した口金ピン２４は、径が向く方向が保たれたまま平行移動して落込み部３１ｃまで誘導されて端子１３に接続される。口金ピン２４が水平方向に移動する距離は、挿入孔３１ａと落込み部３１ｃとの間の距離に制限されることになる。したがって、直管形ランプ２０の偏心を防止して、直管形ランプ２０がソケット３０からの脱落を回避又は低減し、且つ、装着時の水平方向の移動距離を抑制して、省スペース化を実現することができる。
【００２６】
また、口金２１に設けられた２つの口金ピン２４、２５のうちの一方は、下端の挿入孔３１ａから挿入され、他方は、側部の挿入孔３１ａから挿入される。このため、直管形ランプ２０に隣接して設けられる装着のためのスペースを小さくすることができる。
【００２７】
また、落込み部３１ｃ、３２ｃの下端は、端子１３、１４の領域１３ｂ、１４ｂと一致する位置に配置されているため、落込み部３１ｃ、３２ｃに到達した口金ピン２４、２５が端子１３、１４と接続することができる。
【００２８】
また、貫通溝３１ｂ、３２ｂは、屈曲部３１ｄ、３１ｅ、３２ｄが直角に屈曲しながら挿入孔３１ａ、３２ａと、落込み部３１ｃ、３２ｃとを繋いでいるため、案内溝に誘導されたランプのソケットからの脱落を防止することができる。
【符号の説明】
【００２９】
１０  照明器具、１１  器具本体、１２  反射板、１３、１４  端子、１３ａ、１３ｂ、１４ａ、１４ｂ  領域、２０  直管形ランプ、２１、２２  口金、２３  外郭、２４、２５、２６  口金ピン、３０、４０  ソケット、３０ａ、４０ａ  正面、３０ｂ、４０ｂ  背面、３０ｃ、４０ｃ  外周面、３１、３２、４１  案内溝、３１ａ、３２ａ、４１ａ  挿入孔、３１ｂ、３１ｆ、３２ｂ、４１ｂ  貫通溝、３１ｃ、３２ｃ、４１ｃ  落込み部、３１ｄ、３１ｅ、３２ｄ、４１ｄ、４１ｅ  屈曲部。
【図１】
2017076589.tif 000003
【図２】
2017076589.tif 000004
【図３】
2017076589.tif 000005
【図４】
2017076589.tif 000006
【図５】
2017076589.tif 000007
【図６】
2017076589.tif 000008
【図７】
2017076589.tif 000009
【図８】
2017076589.tif 000010
【図９】
2017076589.tif 000011
【図１０】
2017076589.tif 000012